(57)【要約】【課題】  自転車の盗難が発生した場合に、その自転車の移動経路を知ることにより盗難された自転車を素早く発見することができる自転車盗難防止システムを提供すること。【解決手段】  自転車盗難防止システムＳを、管理コンピュータ１１ａおよび登録コンピュータ１２ａと、小型無線機１４と、複数の固定アンテナ１８と、クラウドサーバ１３とで構成した。管理コンピュータ１１ａ等には、自転車１０の識別情報や盗難情報が入力される。小型無線機１４は、自転車１０に取り付けられ自転車１０の識別情報を信号として発信する。複数の固定アンテナ１８は、所定間隔で配置され、小型無線機１４が発信する信号を受信する。クラウドサーバ１３は、管理コンピュータ１１ａ等から識別情報と盗難情報を受信し、複数の固定アンテナ１８から信号を受信して自転車１０の位置情報として記憶し、識別情報、位置情報及び盗難情報から盗難された自転車１０の位置を特定する。【選択図】  図１
2017071301.tif 000002
【特許請求の範囲】
【請求項１】
自転車の識別情報が入力されるとともに、前記自転車が盗難されたときに前記自転車の盗難情報が入力される端末装置と、
前記自転車に取り付けられ前記自転車の識別情報を信号として発信する小型無線機と、
前記自転車の走行路またはその近傍に所定間隔で配置され、前記小型無線機が発信する信号を受信する複数の固定アンテナと、
前記端末装置および前記固定アンテナを介した前記小型無線機と無線通信ネットワークを介して通信可能で、前記端末装置から前記識別情報および前記盗難情報を受信して記憶するとともに、前記複数の固定アンテナから前記信号を受信して前記自転車の識別情報および位置情報として記憶し、記憶された前記識別情報、前記位置情報および前記盗難情報から盗難された前記自転車の位置を特定するクラウドサーバと
を備えたことを特徴とする自転車盗難防止システム。
【請求項２】
前記端末装置が、所定の管理機関に設置された複数のコンピュータで構成され、前記複数のコンピュータのいずれかに、自転車の識別情報の入力、盗難情報の入力、識別情報削除の入力または盗難情報削除の入力をすることにより、前記クラウドサーバが記憶する情報を更新できる請求項１に記載の自転車盗難防止システム。
【請求項３】
前記無線通信ネットワークを介して前記クラウドサーバと通信可能で、前記クラウドサーバに前記盗難情報が記憶されているときに、盗難された自転車に取り付けられた小型無線機が発信する信号を受信するとその小型無線機が取り付けられた自転車が盗難された自転車であることを音または画像で示す携帯端末が備わっている請求項１または２に記載の自転車盗難防止システム。
【請求項４】
移動監視員に携帯されるか、または移動監視車に搭載され、前記小型無線機が発信する信号を受信するとともに、その受信した信号を前記無線通信ネットワークを介して前記クラウドサーバに送信する移動アンテナが備わっている請求項１ないし３にのうちのいずれか一つに記載の自転車盗難防止システム。
【請求項５】
前記小型無線機に電池が交換可能に内蔵され、前記小型無線機が前記電池によって作動する請求項１ないし４にのうちのいずれか一つに記載の自転車盗難防止システム。
【請求項６】
前記小型無線機にＬＥＤが設けられ、前記電池の残量がしきい値以下になったときに、前記ＬＥＤが点灯または点滅する請求項５に記載の自転車盗難防止システム。
【請求項７】
前記小型無線機にＬＥＤが設けられ、前記クラウドサーバが発信する盗難情報を、その盗難情報に該当する自転車に取り付けられた小型無線機が受信したときに、その小型無線機のＬＥＤが点灯または点滅する請求項１ないし６のうちのいずれか一つに記載の自転車盗難防止システム。
【請求項８】
前記小型無線機が、帯状のバンド本体と、前記バンド本体の一端に固定され他端を締め付け固定する固定部とからなる固定バンドによって、前記自転車のハンドルまたは車体に固定されている請求項１ないし７のうちのいずれか一つに記載の自転車盗難防止システム。
【請求項９】
前記固定バンドが、ステンレスで構成されている請求項８に記載の自転車盗難防止システム。
【請求項１０】
前記小型無線機が固定される前記自転車のハンドルまたは車体における前記小型無線機または前記固定バンドによって覆われる部分に、強粘着性を有する警告シールが貼り付けられている請求項８または９に記載の自転車盗難防止システム。
【請求項１１】
前記小型無線機の表面に反射面が形成されている請求項１ないし１０のうちのいずれか一つに記載の自転車盗難防止システム。
【発明の詳細な説明】
【技術分野】
【０００１】
本発明は、自転車の盗難を防止するとともに、盗難が発生した場合には、盗難された自転車の移動経路を追跡してその自転車を発見できる自転車盗難防止システムに関する。
【背景技術】
【０００２】
近年では、自転車の盗難が多発している。このため、自転車の盗難を防止するための、種々の自転車盗難防止システムが開発されている（例えば、特許文献１参照）。この自転車盗難防止システム（自転車管理システム）は、管理コンピュータとターミナル装置によって構成されている。管理コンピュータでは、自転車登録者が記入した登録書を元にデータ入力が行われ、そのデータが内部に保持される。ターミナル装置は、データ記憶部、表示装置およびタグ読み取り部を備えており、通信手段を介して管理コンピュータに接続されている。
【０００３】
また、自転車には、識別情報が記憶されたタグが取り付けられており、ターミナル装置のタグ読み取り部は、このタグの識別情報を非接触で読み取ることができる。そして、ターミナル装置は、管理コンピュータからデータを受信してそのデータをデータ記憶部に記憶するとともに、タグ識別情報を検索し、データ記憶部から読み出された自転車登録者の属性情報を表示装置に表示する。このため、所定の自転車が盗難されたことが、管理コンピュータに入力されていれば、その自転車にターミナル装置を近づけて操作することにより、その自転車が盗難された自転車であるか否かが判別できる。
【先行技術文献】
【特許文献】
【０００４】
【特許文献１】特許第４０７７１５９号公報
【発明の概要】
【０００５】
しかしながら、前述した自転車盗難防止システムでは、ターミナル装置のタグ読み取り部が、タグの識別情報を非接触で読み取れるとはいえ、その距離に制限があるため、ターミナル装置を持った警察官などの捜索者が、タグが取り付けられた盗難自転車のそばにいなければその自転車を発見することはできない。このため、捜索しなければならない範囲が広くなり、盗難された自転車の発見に大きな労力を要する。
【０００６】
本発明は、上記の問題に対処するためになされたもので、その目的は、自転車の盗難が発生した場合に、その自転車の移動経路を知ることにより盗難された自転車を素早く発見することができる自転車盗難防止システムを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る自転車盗難防止システムの構成上の特徴は、自転車（１０）の識別情報が入力されるとともに、自転車が盗難されたときに自転車の盗難情報が入力される端末装置（１１ａ，１２ａ）と、自転車に取り付けられ自転車の識別情報を信号として発信する小型無線機（１４）と、自転車の走行路またはその近傍に所定間隔で配置され、小型無線機が発信する信号を受信する複数の固定アンテナ（１８）と、端末装置および固定アンテナを介した小型無線機と無線通信ネットワークを介して通信可能で、端末装置から識別情報および盗難情報を受信して記憶するとともに、複数の固定アンテナから信号を受信して自転車の識別情報および位置情報として記憶し、記憶された識別情報、位置情報および盗難情報から盗難された自転車の位置を特定するクラウドサーバ（１３）とを備えたことにある。
【０００８】
本発明に係る自転車盗難防止システムでは、端末装置に、自転車の識別情報や自転車の盗難情報が入力され、これらの情報はクラウドサーバに送信されて記憶される。また、自転車には、自転車の識別情報を信号として発信する小型無線機が取り付けられ、この識別情報は、自転車の走行路に配置された複数の固定アンテナを介して、クラウドサーバに送られて記憶される。このため、クラウドサーバは、端末装置からの識別情報と盗難情報に、小型無線機からの識別情報を照らし合わせて固定アンテナが検知した小型無線機が盗難された自転車に取り付けられているものであることを割り出すことができる。また、複数の固定アンテナが受信した信号とその信号受信の時間からその盗難された自転車の経路と現在の最終位置を特定することができる。そして、クラウドサーバが特定した盗難された自転車の位置情報をもとに、捜索者はその場所で盗難された自転車を見つけることができる。
【０００９】
また、小型無線機によると、小型無線機自体が信号を発信するため、信号を送信できる距離が長くなるとともに、自転車が固定アンテナの近くを素早く通過しても、固定アンテナは小型無線機から送信される信号を確実に受信できるようになる。また、固定アンテナは、小型無線機が発信する信号を殆ど切れ目なく受信できる間隔をおいて設置することが好ましく、例えば、１ｋｍごとに格子状に配置したり、自転車が走行可能な道路に沿って１ｋｍごとに配置したりすることができる。さらに、無線通信ネットワークには、インターネット、ＷｉＦｉネットワーク等が含まれる。
【００１０】
本発明に係る自転車盗難防止システムの他の構成上の特徴は、端末装置が、所定の管理機関（１１，１２）に設置された複数のコンピュータ（１１ａ，１２ａ）で構成され、複数のコンピュータのいずれかに、自転車の識別情報の入力、盗難情報の入力、識別情報削除の入力または盗難情報削除の入力をすることにより、クラウドサーバが記憶する情報を更新できることにある。
【００１１】
本発明に係る所定の管理機関とは、自転車の識別情報を登録するための機関や、自転車が盗難されたときにその盗難届を提出するための機関等、自転車を種々の目的に応じて管理する機関である。本発明によると、各機関に設置されたコンピュータへの入力操作により、クラウドサーバが記憶する自転車に関する各情報を変更できるため、状況の変化に応じてクラウドサーバが記憶する情報を素早く変更できるようになる。また、クラウドサーバが特定した盗難された自転車の位置情報を各機関のコンピュータに取り込み、その位置情報をもとに、盗難された自転車を捜索することができる。
【００１２】
本発明に係る自転車盗難防止システムのさらに他の構成上の特徴は、無線通信ネットワークを介してクラウドサーバと通信可能で、クラウドサーバに盗難情報が記憶されているときに、盗難された自転車に取り付けられた小型無線機が発信する信号を受信するとその小型無線機が取り付けられた自転車が盗難された自転車であることを音または画像で示す携帯端末（１９，１９ａ）が備わっていることにある。
【００１３】
本発明によると、捜索者は、クラウドサーバによって特定された位置の範囲内で、携帯端末を持ち運ぶことで盗難された自転車を発見できるため、捜索の範囲が特定された狭い範囲で済むようになる。この結果、盗難された自転車の発見が迅速かつ効率よく行えるようになる。なお、携帯端末としては、スマートフォンやタブレット型端末を用いることができる。
【００１４】
本発明に係る自転車盗難防止システムのさらに他の構成上の特徴は、移動監視員（Ａ）に携帯されるか、または移動監視車（Ａ’）に搭載され、小型無線機が発信する信号を受信するとともに、その受信した信号を無線通信ネットワークを介してクラウドサーバに送信する移動アンテナ（１８ａ）が備わっていることにある。
【００１５】
本発明によると、所定間隔で配置された複数の固定アンテナに加えて、移動監視員に携帯されたり、移動監視車に搭載されたりする移動アンテナによっても、盗難された自転車に取り付けられた小型無線機を検知できるため、盗難された自転車をより狭い範囲の捜索で確実に発見できるようになる。この場合の移動アンテナは１つであっても複数であってもよい。また、移動監視員としては、警備会社、管理会社など協力団体の警備員、従業員などが含まれ、移動監視車としては、前述した協力団体に備わっている防犯パトロールカーが含まれる。
【００１６】
本発明に係る自転車盗難防止システムのさらに他の構成上の特徴は、小型無線機に電池（１５）が交換可能に内蔵され、小型無線機が電池によって作動することにある。
【００１７】
本発明によると、信号を発生する小型無線機を簡単な構造で構成することができる。また、電池としては単４の電池を２個用いることが好ましい。これによると、小型無線機が発信する信号が、３〜５秒の間に１回発信されるように設定すると、電池は交換なしで３年程度もつようになる。
【００１８】
本発明に係る自転車盗難防止システムのさらに他の構成上の特徴は、小型無線機にＬＥＤが設けられ、電池の残量がしきい値以下になったときに、ＬＥＤが点灯または点滅することにある。
【００１９】
本発明によると、電池の残量がしきい値以下になったときに、ＬＥＤが点灯または点滅するため、電池交換の時期を知ることができる。これによって、小型無線機が電池切れの状態で放置されることが防止される。しきい値としては、適宜設定することができるが、例えば、電池の残量が満充電の状態のときの１０％とすることができる。
【００２０】
本発明に係る自転車盗難防止システムのさらに他の構成上の特徴は、小型無線機にＬＥＤ（１５ａ）が設けられ、クラウドサーバが発信する盗難情報を、その盗難情報に該当する自転車に取り付けられた小型無線機が受信したときに、その小型無線機のＬＥＤが点灯または点滅することにある。
【００２１】
本発明によると、自転車が盗難に遭ったことが端末装置に入力されると、その盗難情報がクラウドサーバに記憶され、その信号を、小型無線機が固定アンテナまたは移動アンテナを介して受信すると、ＬＥＤが点灯または点滅するため、その小型無線機が取り付けられた自転車が盗難された自転車であることを周囲に知らせることができる。また、端末装置への盗難情報削除の入力により、クラウドサーバからその盗難情報が削除された場合には、ＬＥＤの点灯または点滅は停止する。なお、電池切れの場合にＬＥＤが点灯または点滅する機能も備わっている場合には、電池切れと盗難とを区別するために、電池切れと盗難との一方の場合に、ＬＥＤが点灯し、他方の場合に、ＬＥＤが点滅するようにすることが好ましい。
【００２２】
本発明に係る自転車盗難防止システムのさらに他の構成上の特徴は、小型無線機が、帯状のバンド本体（１６ａ）と、バンド本体の一端に固定され他端を締め付け固定する固定部（１６ｂ）とからなる固定バンド（１６）によって、自転車のハンドル（１０ａ）または車体（１０ｂ）に固定されていることにある。
【００２３】
本発明によると、小型無線機の自転車への取り付けが容易になる。また、固定バンドは、いわゆる結束バンドで構成することができ、これによると、バンド本体の他端がむり嵌めの状態で固定部に固定されるため、容易に外れることがない。なお、自転車における小型無線機が取り付けられる部分は、ハンドルまたは車体における円柱状部分であることが好ましい。
【００２４】
本発明に係る自転車盗難防止システムのさらに他の構成上の特徴は、固定バンドが、ステンレスで構成されていることにある。
【００２５】
本発明によると、小型無線機をより強固に自転車に取り付けることができる。また、盗んだ自転車から小型無線機を取り外そうとしても、固定バンドは、家庭で一般に使用されているペンチやニッパなどで切断することはできず、固定バンドを切断するためには、特殊な切断器具が必要になる。このため、ステンレス製の固定バンドで小型無線機を自転車に固定することで、犯罪抑止効果も生じる。
【００２６】
本発明に係る自転車盗難防止システムのさらに他の構成上の特徴は、小型無線機が固定される自転車のハンドルまたは車体における小型無線機または固定バンドによって覆われる部分に、強粘着性を有する警告シール（１７）が貼り付けられていることにある。
【００２７】
本発明によると、小型無線機を盗んだ自転車から強引に取り外した場合には、自転車のハンドルまたは車体における小型無線機または固定バンドによって覆われていた部分に警告シールが現れるため、その自転車が盗難された自転車であることが一目で分かる。なお、警告シールには、自転車の所有者や捜索者等の電話番号や連絡先などを記載しておくことが好ましい。これによると、警告シールを見た人が自転車の所有者や捜索者に連絡することができる。また、警告シールの材質としては、耐熱性を備えたものを用いることが好ましく、例えば、塩化ビニールを用いることができる。これによると、警告シールは強粘着性および耐熱性を備えるようになるため、剥げ難くなるとともに、燃え難くなる。
【００２８】
本発明に係る自転車盗難防止システムのさらに他の構成上の特徴は、小型無線機の表面に反射面が形成されていることにある。本発明によると、自転車が夜間走行する場合に、小型無線機が光を受けると、反射光を発生するため、事故防止の効果が生じる。また、小型無線機の反射光が、夜間や暗闇の中で自転車を盗もうとする者に対する警告としても機能するため、犯罪抑止効果を高めることもできる。
【図面の簡単な説明】
【００２９】
【図１】本発明の一実施形態に係る自転車盗難防止システムを示した概略図である。
【図２】小型無線機を示した斜視図である。
【図３】小型無線機の蓋を開閉する方法を示しており、（ａ）は蓋を閉める状態を示した説明図、（ｂ）は蓋を開ける状態を示した説明図である。
【図４】小型無線機の電池交換の状態を示しており、（ａ）は蓋を開けた状態を示した説明図、（ｂ）は電池を取り出した状態を示した説明図である。
【図５】小型無線機に取り付けられた固定バンドを示しており、（ａ）は締結前を示した側面図、（ｂ）は締結状態を示した側面図である。
【図６】警告シールを示した正面図である。
【図７】ユーザー登録の手順を示したフロー図である。
【図８】盗難被害発生時の捜索手順を示したフロー図である。
【発明を実施するための形態】
【００３０】
以下、本発明の一実施形態を図面を用いて説明する。図１は同実施形態に係る自転車盗難防止システムＳを示している。この自転車盗難防止システムＳでは、自転車１０のユーザー登録および盗難発生の有無等の各情報を統括管理する管理センター１１に管理コンピュータ１１ａが設置され、自転車１０のユーザー登録の処理を代行する登録代理店１２に登録コンピュータ１２ａが設置されている。この管理コンピュータ１１ａおよび登録コンピュータ１２ａは、本発明に係る端末装置を構成するもので、無線通信ネットワークを介してクラウドサーバ１３と通信可能になっている。
【００３１】
また、自転車１０のハンドル１０ａには、自転車１０の識別情報を信号として発信する小型無線機１４が取り付けられている。この小型無線機１４が発信する信号は、市街地に所定間隔で設置された複数の固定アンテナ１８、および複数の警備員Ａが携帯したり防犯パトロールカー（青パト）Ａ’に設置されたりして各地区を移動する複数の移動アンテナ１８ａが受信したのち、固定アンテナ１８および移動アンテナ１８ａから無線通信ネットワークを介してクラウドサーバ１３に送信される。なお、小型無線機１４は３秒に１回程度の間隔で信号を発信し続ける。
【００３２】
クラウドサーバ１３は、コンピュータ装置により構成され、制御装置および記憶装置等を備えている。このクラウドサーバ１３は、管理コンピュータ１１ａ、登録コンピュータ１２ａ、複数の固定アンテナ１８、複数の移動アンテナ１８ａおよび後述する携帯端末としてのスマートフォン１９，１９ａから供給される各情報をデータとして蓄積するとともにそれらのデータを照合して所定の演算処理を行い、その演算結果のデータを、管理コンピュータ１１ａ、登録コンピュータ１２ａおよびスマートフォン１９，１９ａからの要求に従って管理コンピュータ１１ａ、登録コンピュータ１２ａおよびスマートフォン１９，１９ａにそれぞれ配信する。なお、クラウドサーバ１３の作動は、記憶装置に予め記録されたプログラムの処理により行われる。
【００３３】
すなわち、クラウドサーバ１３の制御装置は、記憶装置に記録されたプログラムを実行するＣＰＵ等で構成され、管理コンピュータ１１ａ、登録コンピュータ１２ａ等からの信号に応答して、管理コンピュータ１１ａ、登録コンピュータ１２ａ等から供給されるデータを記憶装置に蓄積したり、記憶装置が記憶するデータを管理コンピュータ１１ａ、登録コンピュータ１２ａ等に供給したりする等、各装置の制御や、データの転送、演算処理等を行う。
【００３４】
また、クラウドサーバ１３の記憶装置には、前述したプログラムの外、管理データファイル等の各種のデータが記憶される。この管理データファイルには、各自転車１０の識別情報に関するデータ、所定の自転車１０に盗難が発生したという盗難情報に関するデータが記憶されるとともに、複数の固定アンテナ１８および複数の移動アンテナ１８ａを介して小型無線機１４から送信された信号を、各自転車１０の識別情報に関するデータおよびその位置情報として記憶する。また、その他の関連する情報や資料等のデータ、例えば、地図データや、固定アンテナ１８の設置位置（住所）や番号などのデータが入力され、それらのデータが蓄積される。
【００３５】
これらの各データは、管理センター１１または登録代理店１２に、新たな自転車１０の所有者がユーザー登録をしたり、自転車１０が盗難に遭ったときにその盗難発生の連絡をしたりしたとき、および、管理センター１１または登録代理店１２に、ユーザー登録の削除の申請や盗難自転車が発見されたとの連絡が行われたときなどに、その都度、管理コンピュータ１１ａや登録コンピュータ１２ａから入力される。
【００３６】
また、管理データファイルに記憶されたデータは、無線通信ネットワークを介して、管理センター１１の管理コンピュータ１１ａ、登録代理店１２の登録コンピュータ１２ａおよび各地区を巡回している警備員Ａが携帯するスマートフォン１９や管理センター１１の従業員Ｂが携帯するスマートフォン１９ａで受信できる。この場合、管理コンピュータ１１ａ等に、所定の自転車１０の識別情報、例えば、所有者の氏名や車体番号などを入力すると、その自転車１０が、××丁目○○番地の固定アンテナ１８または番号Ｎ番の固定アンテナ１８を何時何分に通過したといった項目が時系列に表示される。これによって、特定の自転車１０の移動経路および移動最終地点を確認できる。
【００３７】
小型無線機１４は、図２に示したように構成されており、下面が開口した略長方体の箱形のケース１４ａと、四角板状の蓋１４ｂ（図３（ａ），（ｂ）および図４（ａ），（ｂ）参照）で外郭部が構成されている。ケース１４ａと蓋１４ｂはともに前後（自転車１０に取り付けられた状態での前後で、図２では左右）の長さよりも左右の長さが長くなっており、ケース１４ａの底部はハンドル１０ａの上面に沿えるように前後方向の中央部分が両側部分よりも上方に向かって窪んだ曲面に形成されている。
【００３８】
ケース１４ａと蓋１４ｂとの間には防水加工、例えば、互いに接触する部分にシール材を張り付ける等の処理が施されている。また、ケース１４ａの表面には、反射材加工、例えば、反射性塗料を塗布したり、反射性シールを貼り付けたりする処理が施されている。そして、ケース１４ａの底部における前後両側の下方に突出した部分の左右両側に、それぞれ前後に貫通する貫通孔１４ｃ（合計４つ）が形成されている。この貫通孔１４ｃは、上下の長さよりも左右の長さが長い長方形に形成されている。
【００３９】
また、ケース１４ａの下方に突出した前後２つの部分の左右方向の中央における貫通孔１４ｃよりも少し上方の位置に、前後に貫通する蓋係合孔１４ｄがそれぞれ形成され、蓋１４ｂの前後（図３（ａ），（ｂ）および図４（ａ），（ｂ）では左右）の縁部の中央には、弾性により縁部の表面から突出し、押圧することにより後退する弾性突起１４ｅがそれぞれ形成されている。蓋１４ｂは、図３（ａ）に示したように、前後一対の弾性突起１４ｅを前後一対の蓋係合孔１４ｄに係合させてケース１４ａに組み付けられる。また、ケース１４ａを開ける場合は、図３（ｂ）に示したように、マイナスドライバーＭＤの先端を蓋係合孔１４ｄ内に差し込んで、弾性突起１４ｅを後退させながら蓋１４ｂをケース１４ａから外す。
【００４０】
ケース１４ａ内には、２個の単４の電池１５（図４（ａ），（ｂ）参照）、回路基板およびアンテナ（図示せず）などが収納され、ケース１４ａの上面部中央には、ケース１４ａに形成された貫通孔を介してＬＥＤ１５ａが設置されている。回路基板には、自転車１０の識別情報を記憶する記憶部が備わっており、記憶部に記憶された識別情報は、アンテナを介して信号として外部に発信される。また、ケース１４ａの底部には、２個の電池１５を上下の方向を逆にして並べた状態で設置できる設置部１４ｆが形成されており、２個の電池１５は、設置部１４ｆに着脱自在に設置されている。
【００４１】
ＬＥＤ１５ａは、赤色の光を発生でき、電池１５の交換時期が近づくと点灯し、後述するように小型無線機１４が取り付けられた自転車１０に盗難が発生したときに点滅する。交換時期になった電池１５は、前述した方法で、蓋１４ｂをケース１４ａから外すことにより新たな電池１５と交換できる。また、小型無線機１４には、ＧＰＳ機能も備わっており、管理コンピュータ１１ａや登録コンピュータ１２ａを介して、小型無線機１４の位置を読み取ることができる。なお、図３（ａ），（ｂ）および図４（ａ），（ｂ）に示した小型無線機１４は、説明のための概略図であり、図２に示した小型無線機１４とは形状が異なっている。
【００４２】
このように構成された小型無線機１４は、ステンレスからなる一対の固定バンド１６によって、自転車１０のハンドル１０ａに固定されている。固定バンド１６は、貫通孔１４ｃを通せる帯状のバンド本体１６ａの基端部に、略四角筒状の固定部１６ｂを形成して構成されている。そして、図５（ａ）に示したように、バンド本体１６ａを先端側から前後（図５（ａ）では左右）一対の貫通孔１４ｃに通した状態で、バンド本体１６ａの先端側部分を固定部１６ｂの内部を貫通させて、さらに、バンド本体１６ａでハンドル１０ａを締め付けるようにすると、バンド本体１６ａの先端側部分は、固定部１６ｂに締め付けられた状態で固定される。このようにして、一対の固定バンド１６をそれぞれ左右に位置する前後一対の貫通孔１４ｃを介して締め付けることで、小型無線機１４はハンドル１０ａに固定される。
【００４３】
また、ハンドル１０ａにおける小型無線機１４が位置する部分には、警告シール１７が貼り付けられている。この警告シール１７は、図６に示したように、長方形に形成されており、その中央には、「警告」の文字および連絡先の電話番号が記載されている。警告シール１７は耐熱性を備えた塩化ビニールからなっており、強粘着性を有する粘着剤を介してハンドル１０ａに貼り付けられている。このため、警告シール１７は、特殊な薬剤等を用いなければ、ハンドル１０ａから除去することはできない。また、ハンドル１０ａに小型無線機１４を取り付けたときに、警告シール１７は隠れて見えなくなる。
【００４４】
なお、ハンドル１０ａにおける警告シール１７が貼り付けられた部分に、小型無線機１４を取り付ける際には、小型無線機１４および固定バンド１６と、ハンドル１０ａの表面との間には、シリコンゴムなどの充填材を詰めておく。これによって、小型無線機１４および固定バンド１６と、ハンドル１０ａの表面との間に隙間が生じなくなり、小型無線機１４が、がたついたり、ハンドル１０ａの軸周り方向にずれたりすることがなくなる。このため、小型無線機１４は、良好な固定状態に維持される。
【００４５】
複数の固定アンテナ１８は、それぞれＵＳＢタイプの指向性のある長距離アンテナで構成され、直線距離で最大１ｋｍ先の信号まで受信が可能である。また、建物の内部に設置した場合には、５００ｍ程度先の信号まで受信が可能である。このような固定アンテナ１８が、略１ｋｍの間隔で、すなわち、１ｋｍ２の面積の中に１個の割合で市街地に設置されている。各固定アンテナ１８は、それぞれスーパー、コンビニ等の建造物や、信号機、電柱、橋梁、照明灯等に設置される。なお、固定アンテナ１８としては、種々のタイプのものを用いることができ、それぞれ、設置する環境に合わせて選択する。
【００４６】
複数の移動アンテナ１８ａは、固定アンテナ１８を持ち運んで使用できるようにしたもので、固定アンテナ１８と同等の機能を備えている。この移動アンテナ１８ａは、各地区を巡回する警備員Ａが携帯したり、防犯パトロールカーＡ’に設置しておいたりする。また、スマートフォン１９，１９ａには、自転車盗難防止システムＳ専用の盗難通報アプリケーションがインストールされており、クラウドサーバ１３に記憶された盗難情報に対応する自転車１０に接近すると、そのスマートフォン１９，１９ａが振動して盗難された自転車であることを知らせるとともに、その情報が画面に表示される。さらに、スマートフォン１９，１９ａには、電界強度測定アプリケーションソフトが搭載されており、スマートフォン１９，１９ａに移動アンテナ１８ａに接続することにより、電界強度の強弱を示す画像を画面に表示することができる。これによって、小型無線機１４の位置の遠近の程度を知ることができる。
【００４７】
つぎに、図７を用いて、自転車１０のユーザー登録の手順および盗難に遭うまでの間の流れを説明する。まず、自転車１０の所有者Ｃは、登録代理店１２においてユーザー登録申込書に必要なユーザー情報を記入する。このユーザー情報は、所有者の氏名、住所、電話番号、自転車１０に取り付けられる小型無線機１４の番号、自転車１０の車種や車体登録番号等である。つぎに、前述したユーザー情報を、登録コンピュータ１２ａに入力したのちに、クラウドサーバ１３に送信して記憶させるとともに、そのユーザー情報を小型無線機１４の記憶部に記憶させる。そして、ユーザー情報が記憶された小型無線機１４を自転車１０に取り付ける。これによって、自転車１０のユーザー登録および小型無線機１４の自転車１０への取り付けが終了する。その後、自転車１０が盗難に遭うと、所有者Ｃは、管理センター１１に、盗難に遭ったことを連絡する。
【００４８】
つぎに、図８を用いて、自転車１０の盗難が発生してから自転車１０が発見されるまでの流れを説明する。まず、自転車１０が盗難に遭い、その自転車１０の所有者Ｃが、管理センター１１に、例えば、電話で連絡すると、その自転車１０が盗難されたとの情報が、管理コンピュータ１１ａに入力されたのちに、クラウドサーバ１３に送信される。そして、クラウドサーバ１３では、盗難情報と、自転車１０の過去の通過記録を照合して、盗難された自転車１０の現在の位置を測定する処理が行われる。この場合、該当する識別情報に係る自転車１０の小型無線機１４が発信した信号を受信した固定アンテナ１８の設置位置と受信時間により、最後に信号を受信した固定アンテナ１８の設置位置を求める。
【００４９】
これによって、地図データの中の所定の１ｋｍ２の範囲内に自転車１０があることを確認できる。また、その１ｋｍ２の範囲内で、移動アンテナ１８ａが、前述した信号を受信していれば、自転車１０の捜索範囲を、さらに、狭い範囲に絞ることができる。さらに、クラウドサーバ１３に、所定の識別情報に係る自転車１０が盗難されたとの盗難情報が記憶されるとともに、クラウドサーバ１３がこの情報を発信して、盗難された自転車１０の小型無線機１４がこれを固定アンテナ１８を介して受信すると、その小型無線機１４のＬＥＤ１５ａは点滅を開始する。また、管理センター１１の職員Ｄは、従業員Ｂに捜索指示を出すとともに、警備会社などの協力団体の警備員Ａに捜索依頼を出す。
【００５０】
そして、警備員Ａはスマートフォン１９を携帯し、従業員Ｂはスマートフォン１９ａを携帯して、それぞれ特定された地域で捜索を開始する。この場合、スマートフォン１９，１９ａに移動アンテナ１８ａを接続して、電界強度の強弱を示す画像を画面に表示させることによって、小型無線機１４が取り付けられ得た盗難された自転車１０に徐々に近づくことができる。さらに、小型無線機１４には、ＧＰＳ機能が備わっているため、スマートフォン１９，１９ａを介して、小型無線機１４の位置をより正確に読み取ることができる。そして、警備員Ａや従業員Ｂが、盗難された自転車１０のそばに近づくと、スマートフォン１９，１９ａが振動し始める。そこで、スマートフォン１９，１９ａを小型無線機１４にかざすと、画面に盗難された自転車１０の識別情報が表示されて、盗難された自転車１０を確認できる。
【００５１】
警備員Ａや従業員Ｂによって、盗難された自転車１０が発見されたたことは、所有者Ｃに連絡され、所有者Ｃは自転車１０を引き取ることができる。また、クラウドサーバ１３に記憶されている盗難情報は、管理コンピュータ１１ａ、登録コンピュータ１２ａまたはスマートフォン１９，１９ａの操作により削除する。これによって盗難自転車１０の捜索が終了する。
【００５２】
また、盗難された自転車１０が発見される前に、自転車１０を盗んだ者が、小型無線機１４を破壊したり、固定バンド１６を切断したりする等して、自転車１０から小型無線機１４を取り外そうとしても、固定バンド１６がステンレス製で堅牢であるとともに、小型無線機１４が固定バンド１６によって強固にハンドル１０ａに固定されているため、小型無線機１４をハンドル１０ａから容易に取り外すことはできない。このため、小型無線機１４をハンドル１０ａから取り外すためには、硬度の大きな金属の切断が可能な切断器具などの特殊な器具が必要になる。
【００５３】
また、切断器具を用いて固定バンド１６を切断し、小型無線機１４をハンドル１０ａから取り外した場合には、ハンドル１０ａに貼られた警告シール１７が表面に表れるため、その自転車１０が盗難に遭ったものであることが通行人等に認識される。このため、警告シール１７の発見者が連絡先に通報すれば、盗難された自転車１０の回収が可能になる。また、自転車１０が盗難に遭うことなく、例えば３年が経過して、電池１５の残量が交換時期として設定したしきい値、例えば満充電時の１０％になったときには、ＬＥＤ１５ａが点灯するため、所定のタイミングで、電池１５を前述した方法で新たな電池１５と交換する。これによって、知らないうちに、小型無線機１４が作動しなくなることを防止できる。
【００５４】
以上のように、本実施形態に係る自転車盗難防止システムＳによれば、ユーザー登録された自転車１０が盗難された場合に、クラウドサーバ１３は、記憶されている識別情報に係る自転車１０が盗難された自転車１０であること登録する。そして、その自転車１０の小型無線機１４からの信号を受信した複数の固定アンテナ１８および複数の移動アンテナ１８ａの位置と受信時間からその盗難された自転車１０の移動経路と現在の最終位置を割り出すことができる。この場合、管理コンピュータ１１ａに、識別情報を入力することにより、その自転車１０が通過した位置と時間が一覧表となって表示される。また、盗難された自転車１０を捜索する警備員Ａや従業員Ｂは、スマートフォン１９，１９ａを携帯して、クラウドサーバ１３が割り出した盗難された自転車１０の位置を巡回することにより、盗難された自転車１０を容易に見つけることができる。
【００５５】
また、小型無線機１４は、電池１５によって作動し、電池１５の残量がしきい値以下になったときに、ＬＥＤ１５ａが点灯するため、小型無線機１４が電池切れの状態で放置されることが防止される。また、このＬＥＤ１５ａは、自転車１０が盗難に遭ったときにも点滅するため、盗難された自転車１０の発見を早めることができる。さらに、小型無線機１４を自転車１０のハンドル１０ａに固定するための固定バンド１６が、ステンレスで構成されているため、盗難された自転車１０から小型無線機１４を取り外すことが困難になる。
【００５６】
また、切断器具等を用いて、ハンドル１０ａから小型無線機１４を取り外したとしても、ハンドル１０ａの表面に警告シール１７が現れるため、その自転車１０が盗難された自転車であることが分かる。さらに、警告シール１７には、連絡先が記載されているため、警告シール１７を見た人が連絡先に連絡することで盗難された自転車１０を回収することができる。また、小型無線機１４の表面が反射面で構成されているため、自転車１０が夜間走行する場合に、事故防止の効果が生じる。さらに、小型無線機１４のケース１４ａと蓋１４ｂとの間には防水加工が施されているため、雨天の場合に、小型無線機１４の内部に水が浸入することが防止される。これによって、水の浸入によって小型無線機１４が破損することがなくなる。
【００５７】
本発明に係る自転車盗難防止システムは、前述した実施形態に限定されるものでなく、本発明の技術的範囲内で、適宜変更して実施することができる。例えば、前述した実施形態では、小型無線機１４をハンドル１０ａに取り付けているが、この小型無線機１４は自転車１０の車体１０ｂの一部に固定してもよい。また、前述した実施形態では、登録代理店１２の登録コンピュータ１２ａでユーザー登録が行われ、管理センター１１の管理コンピュータ１１ａに、盗難された自転車１０の情報が入力されるが、これらの処理は登録コンピュータ１２ａと管理コンピュータ１１ａの双方でそれぞれ行えるようにしてもよい。さらに、これらの処理を、スマートフォン１９，１９ａで行えるようにしてもよい。また、自転車盗難防止システムＳを構成するそれ以外の部分の構成についても、適宜変更することができる。
【符号の説明】
【００５８】
１０…自転車、１０ａ…ハンドル、１０ｂ…車体、１１…管理センター、１１ａ…管理コンピュータ、１２…登録代理店、１２ａ…登録コンピュータ、１３…クラウドサーバ、１４…小型無線機、１５…電池、１５ａ…ＬＥＤ、１６…固定バンド、１６ａ…バンド本体、１６ｂ…固定部、１７…警告シール、１８…固定アンテナ、１８ａ…移動アンテナ、１９，１９ａ…スマートフォン、Ａ…警備員、Ａ’…防犯パトロールカー、Ｓ…自転車盗難防止システム。
【図２】
2017071301.tif 000003
【図５】
2017071301.tif 000004
【図６】
2017071301.tif 000005
【図７】
2017071301.tif 000006
【図８】
2017071301.tif 000007
【図１】
2017071301.tif 000008
【図３】
2017071301.tif 000009
【図４】
2017071301.tif 000010